(57)【要約】【課題】加湿器内で分解しにくく、加湿器容器内の水中の菌数を抑制し、空気中に放散する際に空気中の菌を除菌する菌数抑制方法を提供する。【解決手段】塩素系酸化剤、ならびにスルファミン酸およびスルファモイル安息香酸のうち少なくとも１つ、もしくは塩素系酸化剤とスルファミン酸およびスルファモイル安息香酸のうち少なくとも１つとの反応物を含有する菌数抑制剤組成物を加湿器内の水系に添加する菌数抑制方法である。【選択図】なし【特許請求の範囲】
【請求項１】
塩素系酸化剤、ならびにスルファミン酸およびスルファモイル安息香酸のうち少なくとも１つ、もしくは塩素系酸化剤とスルファミン酸およびスルファモイル安息香酸のうち少なくとも１つとの反応物を含有する菌数抑制剤組成物を加湿器内の水系に添加することを特徴とする菌数抑制方法。
【請求項２】
請求項１に記載の菌数抑制方法であって、
前記菌数抑制剤組成物を加湿器内の水系に全残留塩素濃度として０．１〜５００ｍｇ／Ｌの範囲になるように添加することを特徴とする菌数抑制方法。
【請求項３】
請求項１または２に記載の菌数抑制方法であって、
前記加湿器が超音波式の加湿器であることを特徴とする菌数抑制方法。
【請求項４】
水を貯留する水貯留槽と、
水系中に菌数抑制剤組成物を添加する菌数抑制剤組成物添加手段と、
前記菌数抑制剤組成物が添加された添加水を飛散または気化させる飛散／気化手段と、
を備え、
前記菌数抑制剤組成物が、塩素系酸化剤、ならびにスルファミン酸およびスルファモイル安息香酸のうち少なくとも１つ、もしくは塩素系酸化剤とスルファミン酸およびスルファモイル安息香酸のうち少なくとも１つとの反応物を含有することを特徴とする加湿器。
【請求項５】
請求項４に記載の加湿器であって、
前記菌数抑制剤組成物添加手段が、着脱可能なカートリッジであることを特徴とする加湿器。
【請求項６】
請求項４または５に記載の加湿器であって、
前記菌数抑制剤組成物添加手段が、所定量の前記菌数抑制剤組成物を水系中に添加する流量制御手段を備えることを特徴とする加湿器。
【請求項７】
請求項４または５に記載の加湿器であって、
前記菌数抑制剤組成物添加手段が、前記菌数抑制剤組成物の水系中への添加量を調整する流量調整手段を備えることを特徴とする加湿器。
【請求項８】
請求項４〜７のいずれか１項に記載の加湿器であって、
前記菌数抑制剤組成物添加手段が、過剰な前記菌数抑制剤組成物の水系中への添加を抑制する過剰添加抑制手段を備えることを特徴とする加湿器。
【発明の詳細な説明】
【技術分野】
【０００１】
本発明は、加湿器の菌数抑制方法および加湿器に関する。詳しくは、本発明は、加湿器内の水に対する菌数抑制方法および加湿器に関し、さらに詳しくは、超音波式加湿器内の水に対する菌数抑制方法および超音波式の加湿器に関する。
【背景技術】
【０００２】
加湿器の種類としては、水を加熱して気化させて霧状にして加湿するスチーム式、水を超音波で飛散、気化させて加湿する超音波式、フィルタに水分を含ませ、そこに風を送り気化させて加湿する気化式等がある。これら加湿器の種類において、スチーム式は加熱するため雑菌の飛散リスクは低いものの比較的高価であり、電気代も比較的掛かるため、低コストである超音波式や気化式加湿器が見直されている。しかし、超音波式や気化式加湿器は、雑菌が繁殖しやすく、そのため雑菌を飛散させるリスクがあり、特に超音波式はそのリスクが高い。
【０００３】
加湿器内の雑菌の繁殖を抑制するために、何らかの菌数抑制処理が望ましいが、例えば電気分解装置による次亜塩素酸塩の生成による菌数抑制処理では、加湿器に備えられる少量の水容器内では薬剤濃度を制御することは実質不可能であり、また電気分解を行うための装置を設置するスペースや導入コストにおいても大きな負荷が掛かる。
【０００４】
一方、薬剤による菌数抑制処理では、所定量の薬剤を加湿器の水容器に定期的に供給することで、適切な薬剤濃度として添加することができる。しかし、加湿器に供給する薬剤は、超音波式加湿器ではミストとなって空気中に飛散する可能性があり、気化式加湿器でもその可能性は否定できない。薬剤として例えば、次亜塩素酸含有水溶液（例えば、特許文献１参照）、次亜塩素酸ナトリウムや次亜塩素酸カルシウム、亜塩素酸ナトリウムと酸成分とを混合させて発生させる二酸化塩素等が検討されているが、これらの成分はすべて遊離塩素であるため、初期には高い菌数抑制効果を有するものの、早期に失活するため、加湿器内の水容器に連続して供給しない限り、加湿器内の有効濃度が著しく低下し、継続的な効果が得られない問題があり、また濃度が過剰の場合は塩素臭が発生する可能性がある。
【先行技術文献】
【特許文献】
【０００５】
【特許文献１】特開２０００−１９７６８９号公報
【発明の概要】
【発明が解決しようとする課題】
【０００６】
本発明の目的は、加湿器内で分解しにくく、加湿器の水容器内の水中の菌数を抑制し、空気中に放散する際に空気中の菌を除菌する菌数抑制方法および加湿器を提供することにある。
【課題を解決するための手段】
【０００７】
本発明は、塩素系酸化剤、ならびにスルファミン酸およびスルファモイル安息香酸のうち少なくとも１つ、もしくは塩素系酸化剤とスルファミン酸およびスルファモイル安息香酸のうち少なくとも１つとの反応物を含有する菌数抑制剤組成物を加湿器内の水系に添加する菌数抑制方法である。
【０００８】
また、前記菌数抑制方法において、前記菌数抑制剤組成物を加湿器内の水系に全残留塩素濃度として０．１〜５００ｍｇ／Ｌの範囲になるように添加することが好ましい。
【０００９】
また、前記菌数抑制方法において、前記加湿器が超音波式の加湿器であることが好ましい。
【００１０】
また、本発明は、水を貯留する水貯留槽と、水系中に菌数抑制剤組成物を添加する菌数抑制剤組成物添加手段と、前記菌数抑制剤組成物が添加された添加水を飛散または気化させる飛散／気化手段と、を備え、前記菌数抑制剤組成物が、塩素系酸化剤、ならびにスルファミン酸およびスルファモイル安息香酸のうち少なくとも１つ、もしくは塩素系酸化剤とスルファミン酸およびスルファモイル安息香酸のうち少なくとも１つとの反応物を含有する加湿器である。
【００１１】
また、前記加湿器において、前記菌数抑制剤組成物添加手段が、着脱可能なカートリッジであることが好ましい。
【００１２】
また、前記加湿器において、前記菌数抑制剤組成物添加手段が、所定量の前記菌数抑制剤組成物を水系中に添加する流量制御手段を備えることが好ましい。
【００１３】
また、前記加湿器において、前記菌数抑制剤組成物添加手段が、前記菌数抑制剤組成物の水系中への添加量を調整する流量調整手段を備えることが好ましい。
【００１４】
また、前記加湿器において、前記菌数抑制剤組成物添加手段が、過剰な前記菌数抑制剤組成物の水系中への添加を抑制する過剰添加抑制手段を備えることが好ましい。
【発明の効果】
【００１５】
本発明では、塩素系酸化剤、ならびにスルファミン酸およびスルファモイル安息香酸のうち少なくとも１つ、もしくは塩素系酸化剤とスルファミン酸およびスルファモイル安息香酸のうち少なくとも１つとの反応物を含有する菌数抑制剤組成物を加湿器内の水系に添加することにより、加湿器内で分解しにくく、加湿器の水容器内の水中の菌数を抑制し、空気中に放散する際に空気中の菌を除菌する菌数抑制方法および加湿器を提供することができる。
【図面の簡単な説明】
【００１６】
【図１】本発明の実施形態に係る加湿器の一例を示す概略構成図である。
【図２】本発明の実施形態に係る加湿器の他の例を示す概略構成図である。
【図３】本発明の実施形態に係る加湿器における過剰添加抑制手段の一例を示す概略構成図である。
【図４】実施例における空間噴霧における殺菌効果を示す図である。
【発明を実施するための形態】
【００１７】
本発明の実施の形態について以下説明する。本実施形態は本発明を実施する一例であって、本発明は本実施形態に限定されるものではない。
【００１８】
＜菌数抑制方法＞
本発明の実施形態に係る菌数抑制方法は、塩素系酸化剤、ならびにスルファミン酸およびスルファモイル安息香酸のうち少なくとも１つ、もしくは塩素系酸化剤とスルファミン酸およびスルファモイル安息香酸のうち少なくとも１つとの反応物を含有する菌数抑制剤組成物を加湿器内の水系に添加する方法である。
【００１９】
すなわち、本実施形態に係る菌数抑制方法は、加湿器内の水系中に、「塩素系酸化剤」と、「スルファミン酸およびスルファモイル安息香酸のうち少なくとも１つ」と、を添加する方法である。これにより、加湿器内の水系中で、次亜塩素酸安定化組成物が生成すると考えられる。
【００２０】
また、本実施形態に係る菌数抑制方法は、加湿器内の水系中に、「塩素系酸化剤とスルファミン酸との反応生成物」および「塩素系酸化剤とスルファモイル安息香酸との反応生成物」のうち少なくとも１つである次亜塩素酸安定化組成物を添加する方法である。
【００２１】
本発明者らは、加湿器内の水系中に、「塩素系酸化剤」と、「スルファミン酸およびスルファモイル安息香酸のうち少なくとも１つ」とを存在させる、また、これらの反応生成物を存在させることで、加湿器内で分解しにくく、加湿器の水容器内の水中の菌数を抑制し、空気中に放散する際に空気中の菌を除菌することができることを見出した。
【００２２】
例えば、加湿器内の水系中に、「塩素系酸化剤」と、「スルファミン酸およびスルファモイル安息香酸のうち少なくとも１つ」とを薬注ポンプ等により添加すればよい。「塩素系酸化剤」と、「スルファミン酸およびスルファモイル安息香酸のうち少なくとも１つ」とは別々に水系に添加してもよく、または、原液同士で混合させてから水系に添加してもよい。
【００２３】
または、例えば、加湿器内の水系中に、「塩素系酸化剤とスルファミン酸との反応生成物」および「塩素系酸化剤とスルファモイル安息香酸との反応生成物」のうち少なくとも１つを薬注ポンプ等により注入すればよい。
【００２４】
加湿器内の水系中とは、例えば、加湿器の水タンク、水貯留槽、水配管等が挙げられる。
【００２５】
塩素系酸化剤としては特に制限はないが、例えば、塩素ガス、二酸化塩素、次亜塩素酸またはその塩、亜塩素酸またはその塩、塩素酸またはその塩、過塩素酸またはその塩、塩素化イソシアヌル酸またはその塩等が挙げられる。これらの中で、殺菌性、取り扱い性、コスト等の点から次亜塩素酸またはその塩が好ましい。塩の具体例としては、例えば、次亜塩素酸ナトリウム、次亜塩素酸カリウム等の次亜塩素酸アルカリ金属塩、次亜塩素酸カルシウム、次亜塩素酸バリウム等の次亜塩素酸アルカリ土類金属塩、亜塩素酸リチウム、亜塩素酸ナトリウム、亜塩素酸カリウム等の亜塩素酸アルカリ金属塩、亜塩素酸カルシウム、亜塩素酸バリウム等の亜塩素酸アルカリ土類金属塩、亜塩素酸ニッケル等の他の亜塩素酸金属塩、塩素酸アンモニウム、塩素酸ナトリウム等の塩素酸アルカリ金属塩、塩素酸カルシウム等の塩素酸アルカリ土類金属塩等が挙げられる。これら塩素系酸化剤は１種を単独で用いてもよく、２種以上を組み合わせて用いてもよい。塩素系酸化剤としては、取り扱い性等の点から、次亜塩素酸ナトリウムを用いるのが好ましい。
【００２６】
塩素系酸化剤を安定させる安定化剤は、スルファミン酸（アミド硫酸）およびスルファモイル安息香酸のうち少なくとも１つであり、環境負荷となるＴＯＣ成分を含まない等の点からスルファミン酸が好ましい。これらは１種を単独で用いてもよく、２種を組み合わせて用いてもよい。
【００２７】
本実施形態に係る菌数抑制剤組成物において、さらにアルカリを存在させてもよい。アルカリとしては、水酸化ナトリウム、水酸化カリウム等の水酸化アルカリ等が挙げられる。低温時の製品安定性等の点から、水酸化ナトリウムと水酸化カリウムとを併用してもよい。また、アルカリは、固形でなく、水溶液として用いてもよい。
【００２８】
＜菌数抑制剤組成物＞
本実施形態に係る菌数抑制剤組成物は、「塩素系酸化剤」と、「スルファミン酸およびスルファモイル安息香酸のうち少なくとも１つ」とを含有するものであり、さらにアルカリを含有してもよい。
【００２９】
また、本実施形態に係る菌数抑制剤組成物は、「塩素系酸化剤とスルファミン酸との反応生成物」および「塩素系酸化剤とスルファモイル安息香酸との反応生成物」のうち少なくとも１つを含有するものであり、さらにアルカリを含有してもよい。
【００３０】
塩素系酸化剤、スルファミン酸、スルファモイル安息香酸については、上述した通りである。
【００３１】
本実施形態に係る菌数抑制剤組成物における「塩素系酸化剤」の当量に対する「スルファミン酸およびスルファモイル安息香酸のうち少なくとも１つ」の当量の比は、１以上であることが好ましく、１以上１．５以下の範囲であることがより好ましい。「塩素系酸化剤」の当量に対する「スルファミン酸およびスルファモイル安息香酸のうち少なくとも１つ」の当量の比が１未満、および１．５を超えると、製品の安定性が低下する場合がある。
【００３２】
菌数抑制剤組成物における塩素系酸化剤の含有量は特に制限はないが、塩素系酸化剤は菌数抑制剤組成物の重量に対して、全残留塩素として好ましくは１〜１２重量％の範囲、より好ましくは２〜１０重量％の範囲、さらに好ましくは３．５〜８．５重量％の範囲となるように含有されるのがよい。全残留塩素濃度が１重量％未満であると、十分な殺菌効果を得るために添加濃度を高くする必要が生じる場合があり、低添加濃度で効率的に殺菌効果を発揮させることができない場合がある。１２重量％を超えると、市販の１２重量％の次亜塩素酸ナトリウム等を原材料として使用できず、高コストの製剤となってしまう場合がある。
【００３３】
本実施形態に係る菌数抑制剤組成物のｐＨは特に制限はないが、あまりｐＨが低いと塩素ガスが発生するおそれがあるため、ｐＨ７以上が好ましい。また、有効塩素成分が長期間安定するために、ｐＨ８以上であることがより好ましく、ｐＨ９．５以上であることが特に好ましい。
【００３４】
本実施形態に係る菌数抑制剤組成物は、加湿器内の水系に全残留塩素濃度として０．１〜５００ｍｇ／Ｌになるように添加することが好ましく、０．５〜１００ｍｇ／Ｌになるように添加することがより好ましく、１〜５０ｍｇ／Ｌになるように添加することがさらに好ましい。菌数抑制剤組成物の添加量が０．１ｍｇ／Ｌ未満であると、殺菌効果が十分に得られない場合があり、５００ｍｇ／Ｌを超えると、容器が腐食する場合がある。
【００３５】
＜菌数抑制剤組成物の製造方法＞
本実施形態に係る菌数抑制剤組成物は、「塩素系酸化剤」と「スルファミン酸およびスルファモイル安息香酸のうち少なくとも１つ」とを混合することにより得られ、さらにアルカリを混合してもよい。
【００３６】
＜加湿器＞
本発明の実施形態に係る加湿器の一例の概略を図１に示し、その構成について説明する。加湿器１は、水を貯留する水貯留槽１０と、水系中に菌数抑制剤組成物を添加する菌数抑制剤組成物添加手段として、菌数抑制剤組成物タンク１６および注入管２０と、菌数抑制剤組成物が添加された添加水を飛散または気化させる飛散／気化手段として、超音波発生装置１２とを備え、菌数抑制剤組成物が、塩素系酸化剤、ならびにスルファミン酸およびスルファモイル安息香酸のうち少なくとも１つ、もしくは塩素系酸化剤とスルファミン酸およびスルファモイル安息香酸のうち少なくとも１つとの反応物を含有するものである。加湿器１は、水を水貯留槽１０に供給する供給タンク１４を備えてもよく、供給タンク１４は水を水貯留槽１０に注入するための注入バルブ１８を備える。
【００３７】
図１の加湿器１において、菌数抑制剤組成物タンク１６は、注入管２０を通して供給タンク１４内の水に菌数抑制剤組成物を添加するように構成されている。
【００３８】
本実施形態に係る加湿器１の動作および菌数抑制方法について説明する。
【００３９】
供給タンク１４内の水に、菌数抑制剤組成物タンク１６から注入管２０を通して所定量の上記菌数抑制剤組成物が添加される（菌数抑制剤組成物添加工程）。菌数抑制剤組成物が添加された添加水は、注入バルブ１８によって水貯留槽１０に供給され、水貯留槽１０内の添加水は、超音波発生装置１２による超音波振動によって飛散または気化されて（飛散／気化工程）、発生した微細粒子が水貯留槽１０に設けられた噴霧口２２から外部に放散される。
【００４０】
本実施形態に係る加湿器１では、加湿器１内の水系中に、「塩素系酸化剤」と、「スルファミン酸およびスルファモイル安息香酸のうち少なくとも１つ」とを存在させる、また、これらの反応生成物を存在させることで、加湿器１内で分解しにくく、加湿器１の水容器、すなわち水貯留槽１０および供給タンク１４内の水中の菌数を抑制し、空気中に放散する際に空気中の菌を除菌することができる。
【００４１】
本発明の実施形態に係る加湿器の他の例の概略を図２に示す。加湿器３は、水貯留槽１０と、菌数抑制剤組成物タンク１６および注入管２０と、超音波発生装置１２と、供給タンク１４とを備え、菌数抑制剤組成物タンク１６は、注入管２０を通して水貯留槽１０内の水に菌数抑制剤組成物を添加するように構成されている。
【００４２】
供給タンク１４内の水は、注入バルブ１８によって水貯留槽１０に供給され、水貯留槽１０内の水に、菌数抑制剤組成物タンク１６から注入管２０を通して所定量の上記菌数抑制剤組成物が添加される（菌数抑制剤組成物添加工程）。菌数抑制剤組成物が添加された水貯留槽１０内の添加水は、超音波発生装置１２による超音波振動によって飛散または気化されて（飛散／気化工程）、発生した微細粒子が水貯留槽１０に設けられた噴霧口２２から外部に放散される。
【００４３】
本実施形態に係る加湿器３では、加湿器３内の水系中に、「塩素系酸化剤」と、「スルファミン酸およびスルファモイル安息香酸のうち少なくとも１つ」とを存在させる、また、これらの反応生成物を存在させることで、加湿器３内で分解しにくく、加湿器３の水容器、すなわち水貯留槽１０内の水中の菌数を抑制し、空気中に放散する際に空気中の菌を除菌することができる。
【００４４】
本実施形態に係る加湿器において、加湿器内の水系中に、「塩素系酸化剤」と、「スルファミン酸およびスルファモイル安息香酸のうち少なくとも１つ」とを添加する、またはこれらの反応生成物を添加する構成であればよく、例えば、図１の加湿器１のように供給タンク１４内の水に添加する構成でもよく、図２の加湿器３のように水貯留槽１０内の水に添加する構成でもよく、加湿器内の水配管等に添加する構成であってもよい。
【００４５】
飛散／気化手段としては、特に制限はないが、水を加熱して気化させて霧状にして加湿するスチーム式、水を超音波で飛散、気化させて加湿する超音波式、フィルタに水分を含ませ、そこに風を送り気化させて加湿する気化式等が挙げられ、低コストである等の点から、超音波式および気化式が好ましく、次亜塩素酸水等が超音波振動により分解しやすい超音波式の加湿器に特に好適に適用することができる。
【００４６】
本実施形態に係る加湿器において、菌数抑制剤組成物添加手段である菌数抑制剤組成物タンク１６が、着脱可能なカートリッジであることが好ましい。これにより、加湿器への菌数抑制剤組成物の補給を容易に行うことができる。
【００４７】
本実施形態に係る加湿器において、菌数抑制剤組成物添加手段である菌数抑制剤組成物タンク１６が、所定量の菌数抑制剤組成物を水系中に添加する流量制御手段を備えることが好ましい。流量制御手段としては、例えば、所定量をワンプッシュで注入可能なワンプッシュ注入方式、シリンジ方式等が挙げられる。
【００４８】
本実施形態に係る加湿器において、菌数抑制剤組成物添加手段である菌数抑制剤組成物タンク１６が、菌数抑制剤組成物の水系中への添加量を調整する流量調整手段を備えることが好ましい。流量調整手段としては、例えば、チューブ等の注入管２０の流路を押圧して調整する押圧方式、バルブ方式等が挙げられる。
【００４９】
これらの流量制御手段および流量調整手段を備えることにより、所定量の菌数抑制剤組成物を水系中に添加することができ、過剰な菌数抑制剤組成物の水系中への添加を抑制することができる。
【００５０】
本実施形態に係る加湿器において、菌数抑制剤組成物添加手段である菌数抑制剤組成物タンク１６が、過剰な菌数抑制剤組成物の水系中への添加を抑制する過剰添加抑制手段を備えることが好ましい。過剰添加抑制手段としては、例えば、図３に示すように、注入管２０が、注入管２０の主管より径が小さくなっている添加口２４と、その添加口２４を閉塞可能な径を有する閉塞球２６を有し、水貯留槽１０内の水位が低下した場合に、閉塞球２６が添加口２４を閉塞する構成のもの等が挙げられる。
【００５１】
この過剰添加抑制手段を備えることにより、過剰な菌数抑制剤組成物の水系中への添加を抑制することができる。
【実施例】
【００５２】
以下、実施例および比較例を挙げ、本発明をより具体的に詳細に説明するが、本発明は、以下の実施例に限定されるものではない。
【００５３】
＜実施例１−１，１−２，２および比較例１〜３＞
超音波式加湿器（株式会社星光技研製「ＳＸ−１００」）の水貯留槽内に相模原市水を４Ｌ入れ、表１に示す各組成物（実施例１：水３２重量部、水酸化ナトリウム８重量部、１２％次亜塩素酸ナトリウム５０重量部、スルファミン酸１０重量部、実施例２：水２７重量部、水酸化ナトリウム６重量部、１２％次亜塩素酸ナトリウム５０重量部、４−スルファモイル安息香酸１７重量部）を、有効塩素濃度を全残留塩素濃度として３０ｍｇ／Ｌ（実施例１−１、実施例２、比較例２、比較例３）、０．５ｍｇ／Ｌ（実施例１−２）になるように添加し、塩酸または水酸化ナトリウムでｐＨ調整をした後、加湿器を密閉した。ここで「全残留塩素濃度」とは、「残留遊離塩素濃度」と「残留結合塩素濃度」の和を指す。１０日間静置後に開封し、加湿器内の水の残存有効塩素濃度を、残留塩素測定装置（Ｈａｃｈ社製「ＤＲ−４０００」）を使用してＤＰＤ法により測定した。また、加湿器内の水の一般細菌数を、菌数測定キット（三愛石油製「バイオチェッカーＴＴＣ」）を使用して４８時間、３０℃培養後、測定した。結果を表１に示す。
【００５４】
【表１】
2015224812.tif 000002
【００５５】
試験の結果、比較例１の薬剤なしの条件においては、１０日後の水中からは一般細菌数が対数として５（ｌｏｇ（ＣＦＵ／ｍＬ））検出された。実施例１−１，２においては１０日後の水中からは一般細菌数が対数として３（ｌｏｇ（ＣＦＵ／ｍＬ））未満であったが、比較例２，３の次亜塩素酸水（それぞれｐＨ８．５および５．３に調整）においては、５（ｌｏｇ（ＣＦＵ／ｍＬ））検出された。実施例１−２においては１０日後の水中からは一般細菌数が対数として３（ｌｏｇ（ＣＦＵ／ｍＬ））であった。また、実施例１−１，２の１０日後の水中の残存有効塩素濃度は全残留塩素濃度としてそれぞれ２９．９ｍｇ／Ｌ、２９．８ｍｇ／Ｌ、実施例１−２では０．４ｍｇ／Ｌであったが、比較例２，３の次亜塩素酸水（それぞれｐＨ８．５および５．３に調整）はいずれも０．０ｍｇ／Ｌとなり、長期において加湿器内に貯留させるには適さないことが確認された。
【００５６】
＜実施例３，４および比較例４，５＞
超音波式加湿器（株式会社星光技研製「ＳＸ−１００」）の水貯留槽内に相模原市水を４Ｌ入れ、表２に示す各組成物（実施例３，４はそれぞれ実施例１，２と同様の組成物を使用）を、有効塩素濃度を全残留塩素濃度として３０ｍｇ／Ｌになるように添加し、塩酸または水酸化ナトリウムでｐＨ調整をした後、加湿器を密閉し、１日あたり２時間連続で超音波振動を与えて運転した。５日後に開封し、加湿器内の水の残存有効塩素濃度を、残留塩素測定装置（Ｈａｃｈ社製「ＤＲ−４０００」）を使用してＤＰＤ法により測定した。また、加湿器内の水の一般細菌数を、菌数測定キット（三愛石油製「バイオチェッカーＴＴＣ」）を使用して４８時間、３０℃培養後、測定した。結果を表２に示す。
【００５７】
【表２】
2015224812.tif 000003
【００５８】
試験の結果、実施例３，４においては１０日後の水中においては、一般細菌数が対数として３（ｌｏｇ（ＣＦＵ／ｍＬ））未満であったが、比較例４（水３２重量部、水酸化ナトリウム６重量部、１２％次亜塩素酸ナトリウム５０重量部、４−アミノベンゼンスルホンアミド１２重量部）においては４（ｌｏｇ（ＣＦＵ／ｍＬ））検出された。また、実施例１，２の１０日後の水中の残存有効塩素濃度は全残留塩素濃度として、それぞれ２９．８ｍｇ／Ｌ、２９．７ｍｇ／Ｌであったが、比較例４は全残留塩素濃度として９ｍｇ／Ｌとなり、超音波により分解する傾向があることが確認された。
【００５９】
＜実施例５＞
空間容積２６ｍ３の大型クリーンチャンバ内に設置した超音波加湿器（株式会社星光技研製「ＳＸ−１００」）の水貯留槽内の水４Ｌに、水３２重量部、水酸化ナトリウム８重量部、１２%次亜塩素酸ナトリウム５０重量部およびスルファミン酸１０重量部を含む組成物を、全残留塩素濃度として３０ｍｇ／Ｌ濃度になるように添加し、１０日間静置させた後に加湿器を稼動させて試験開始とし、空間噴霧したときの空間内除菌効果について確認した。超音波加湿器は５ｍＬ／分で加湿を行うように調整した。試験菌として表皮ブドウ球菌を用いた。試験はまず、大型クリーンチャンバ内に表皮ブドウ球菌約１×１０６ＣＦＵ／ｍＬの液を３ｍＬ噴霧ノズルで噴霧した。続いて超音波加湿器を稼動させ、試験液の噴霧を開始した。適時、エアーサンプラを用いてチャンバ外部から室内空気を採取した。採取した室内空気は、ハートインフュジョン寒天培地を用いて３５℃で４８時間培養し、菌数の測定を行った。噴霧時間（分）に対する空間内菌数（ＣＦＵ／１００Ｌ）の結果を図４に示す。
【００６０】
以上のように、実施例の菌数抑制剤組成物を用いることにより、加湿器内で分解しにくく、加湿器容器内の水中の菌数を抑制し、空気中に放散する際に空気中の菌を除菌することができた。
【符号の説明】
【００６１】
１  加湿器、１０  水貯留槽、１２  超音波発生装置、１４  供給タンク、１６  菌数抑制剤組成物タンク、１８  注入バルブ、２０  注入管、２２  噴霧口、２４  添加口、２６  閉塞球。
【図１】
2015224812.tif 000004
【図２】
2015224812.tif 000005
【図３】
2015224812.tif 000006
【図４】
2015224812.tif 000007